(57)【要約】【課題】オペレータがいつまで商品を読取部にかざせばよいかが容易に認識できる商品販売データ登録処理装置を提供する。【解決手段】商品販売データ登録処理装置は、情報を入出力する入出力部と、商品に固有に割り当てられる商品コードごとに商品情報を格納する商品ファイルと、商品コードごとに商品の特徴量を格納する特徴量ファイルと、音声データを格納する音声ファイルと、商品を撮像する撮像部と、音声を再生する音声再生部と、撮像部によって撮像した商品の画像から抽出した特徴量と特徴量ファイルの類似度を算出し、類似度が登録する商品の候補を判定する候補閾値を超える商品である候補商品がある場合に候補商品を入出力部に表示し、候補商品を前記入出力部に表示してから閾値時間経過したと判定した場合に商品の選択入力を促す警告音声を音声ファイルから読み出して音声再生部によって再生させる制御部と、を備える。【選択図】図８
2015138374.tif 000002
【特許請求の範囲】
【請求項１】
情報を入出力する入出力部と、
商品に固有に割り当てられる商品コードごとに商品情報を格納する商品ファイルと、
前記商品コードごとに前記商品の特徴量を格納する特徴量ファイルと、
音声データを格納する音声ファイルと、
前記商品を撮像する撮像部と、
音声を再生する音声再生部と、
前記撮像部によって撮像した前記商品の画像から抽出した特徴量と前記特徴量ファイルの類似度を算出し、前記類似度が登録する商品の候補を判定する候補閾値を超える商品である候補商品がある場合に前記候補商品を前記入出力部に表示し、前記候補商品を前記入出力部に表示してから閾値時間経過したと判定した場合に商品の選択入力を促す警告音声を前記音声ファイルから読み出して前記音声再生部によって再生させる制御部と、
を備える商品販売データ登録処理装置。
【請求項２】
前記制御部は、
前記警告音声を再生する際に、前記入出力部に商品の選択入力を促す警告メッセージを表示させる請求項１記載の商品販売データ登録処理装置。
【請求項３】
前記制御部は、
前記警告メッセージの再生と、商品の再読込と、を閾値回数以上行った場合に商品の手動入力を促す手動入力音声を前記音声ファイルから読み出して前記音声再生部によって再生させる請求項２記載の商品販売データ登録処理装置。
【請求項４】
前記制御部は、
前記手動入力音声を再生する際に、前記入出力部に商品の手動入力を促す手動入力メッセージを表示させる請求項３記載の商品販売データ登録処理装置。
【請求項５】
前記入出力部は、
オペレータに情報を提示する読取部入出力部である請求項４記載の商品販売データ登録処理装置。
【請求項６】
情報を入出力する入出力部と、
商品に固有に割り当てられる商品コードごとに商品情報を格納する商品ファイルと、
前記商品コードごとに前記商品の特徴量を格納する特徴量ファイルと、
音声データを格納する音声ファイルと、
前記商品を撮像する撮像部と、
音声を再生する音声再生部と、
を備える商品販売データ登録処理装置を、
前記撮像部によって撮像した前記商品の画像から抽出した特徴量と前記特徴量ファイルの類似度を算出する類似度算出手段と、
前記類似度が登録する商品の候補を判定する候補閾値を超える商品である候補商品がある場合に前記候補商品を前記入出力部に表示する表示手段と、
前記候補商品を前記入出力部に表示してから閾値時間経過したと判定した場合に商品の選択入力を促す警告音声を前記音声ファイルから読み出して前記音声再生部によって再生させる音声再生手段と、
として機能させるための商品販売データ登録処理プログラム。
【発明の詳細な説明】
【技術分野】
【０００１】
本発明の実施形態は、商品販売データ登録処理装置及び商品販売データ登録処理プログラムに関する。
【背景技術】
【０００２】
いわゆるＰＯＳ（Ｐｏｉｎｔ  ｏｆ  ｓａｌｅｓ）システムなどの商品販売データ登録処理装置は、会計処理を行う端末部と、現金を入出金する入出金装置と、商品を読み取る読取部と、を備える。
【０００３】
従来読取部は商品に貼付されたバーコードを読み取ることにより商品を識別していた。最近では、読取部には商品自体の外観から商品を識別する技術が導入されている。
【０００４】
この種の読取部を備える商品販売データ登録処理装置は、商品コードごとに商品の外観の特徴量を格納するマスタファイルを備え、読取部が撮像した商品の画像から抽出した特徴量とマスタファイルに格納された特徴量とを比較して商品を識別する。
【０００５】
商品販売データ登録処理装置は特徴量の類似度がある閾値以上であれば、直ちに商品を自動確定して登録する。類似度がこの閾値に達しない場合、商品販売データ登録処理装置は特徴量が近似する商品の候補を表示装置に表示する。特徴量が近似する商品がない場合、商品販売データ登録処理装置は商品を再読み込みする。
【０００６】
しかし、オペレータは表示装置に表示された候補から商品を選択しなければならないにもかかわらず、商品の自動確定を期待して、必要以上の長い時間にわたって商品を読取部にかざし続けることがある。従って、会計処理の時間が長くなってしまう場合があった。
【先行技術文献】
【特許文献】
【０００７】
【特許文献１】特開２０１３−８９０８５号公報
【発明の概要】
【発明が解決しようとする課題】
【０００８】
従って、オペレータがいつまで商品を読取部にかざせばよいかが容易に認識できる商品販売データ登録処理装置及び商品販売データ登録処理プログラムが求められている。
【課題を解決するための手段】
【０００９】
上記の課題を解決するために、本発明の一実施形態は、情報を入出力する入出力部と、商品に固有に割り当てられる商品コードごとに商品情報を格納する商品ファイルと、商品コードごとに商品の特徴量を格納する特徴量ファイルと、音声データを格納する音声ファイルと、商品を撮像する撮像部と、音声を再生する音声再生部と、撮像部によって撮像した商品の画像から抽出した特徴量と特徴量ファイルの類似度を算出し、類似度が登録する商品の候補を判定する候補閾値を超える商品である候補商品がある場合に候補商品を入出力部に表示し、候補商品を前記入出力部に表示してから閾値時間経過したと判定した場合に商品の選択入力を促す警告音声を音声ファイルから読み出して音声再生部によって再生させる制御部と、を備える商品販売データ登録処理装置を提供する。
【図面の簡単な説明】
【００１０】
【図１】商品販売データ登録処理装置の外観斜視図である。
【図２】商品販売データ登録処理装置の構成を示すブロック図である。
【図３】商品ファイルのデータ構成を示す図である。
【図４】トランザクションファイルのデータ構成を示す図である。
【図５】特徴量ファイルのデータ構成を示す図である。
【図６】商品販売データ登録処理装置の商品確定動作を示すフローチャートである。
【図７】候補表示画面の例を示す図である。
【図８】警告メッセージの例を示す図である。
【図９】手動入力メッセージの例を示す図である。
【図１０】セルフ型登録処理装置の外観斜視図である。
【図１１】セルフ型登録処理装置の構成を示すブロック図である。
【発明を実施するための形態】
【００１１】
以下、商品販売データ登録処理装置及び商品販売データ登録処理プログラムの一実施形態について、図面を用いて詳細に説明する。
【００１２】
本実施形態の商品販売データ登録処理装置は、情報を入出力する入出力部と、商品に固有に割り当てられる商品コードごとに商品名、単価、及び商品の画像を格納する商品ファイルと、商品コードごとに商品の特徴量を格納する特徴量ファイルと、音声データを格納する音声ファイルと、商品を撮像する撮像部と、音声を再生する音声再生部と、撮像部によって撮像した商品の画像から抽出した特徴量と特徴量ファイルの類似度を算出し、類似度が登録する商品を自動確定する確定閾値を上回る商品である確定商品がなく、類似度が登録する商品の候補を判定する候補閾値を超える商品である候補商品がある場合に候補商品を入出力部に表示し、候補商品を前記入出力部に表示してから閾値時間経過したと判定した場合に商品の選択入力を促す警告音声を音声ファイルから読み出して音声再生部によって再生させる制御部と、を備える。
【００１３】
図１は、商品販売データ登録処理装置１（以下、登録処理装置１と言う。）の外観斜視図である。図１に示すように、登録処理装置１は、会計処理を行う端末部１０と、現金を入出金する入出金装置１０４と、商品を読み取る読取部１０５と、を備える。
【００１４】
端末部１０は、顧客に情報を提示する客面表示装置１２Ａと、オペレータに情報を提示し、情報の入出力を行うタッチパネルなどのオペレータ側入出力装置１２Ｂと、小計キー及び現計キーを含むキーボード１２Ｃと、を備える。以下、客面表示装置１２Ａ、オペレータ側入出力装置１２Ｂ、及びキーボード１２Ｃを入出力部１２という。
【００１５】
読取部１０５は、タッチパネル、キーボードなどの情報を入出力する読取部入出力部１０５Ｃと、商品の外観を撮像する撮像部１０５Ｅと、を備える。
【００１６】
オペレータが商品を撮像部１０５Ｅにかざすと、読取部１０５は商品の外観を撮像し、この撮像した商品の画像を端末部１０に送信する。
【００１７】
端末部１０は商品の識別に成功した場合、商品を売上品目として後述するトランザクションファイル１４Ｂに登録する。端末部１０は小計キーが押下されたと判定した場合、小計を計算する。
【００１８】
オペレータは顧客から預かった現金を入出金装置１０４に投入する。入出金装置１０４は投入された現金を計数し、金種ごとに格納するとともに、投入された現金の額を端末部１０に送信する。
【００１９】
端末部１０は現計キーが押下されたと判定した場合、つり銭を計算して入出金装置１０４に出金指令を送信する。入出金装置１０４はつり銭を出金し、一取引が完了する。
【００２０】
図２は、登録処理装置１の構成を示すブロック図である。図２に示すように、登録処理装置１は、端末部１０が入出金装置１０４と、読取部１０５と、ストアコントローラである管理装置２と、に接続する。
【００２１】
端末部１０は、演算装置であるＣＰＵ（Ｃｅｎｔｒａｌ  ｐｒｏｃｅｓｓｉｎｇ  ｕｎｉｔ）を含む制御部１１と、入出力部１２と、通信を行う通信部１３と、レシートを発行するプリンタ１５と、メモリ、ハードディスクドライブなどの記憶装置を含む記憶部１４と、を備える。
【００２２】
記憶部１４は、商品に固有に割り当てられる商品コードごとに商品情報として例えば商品名、価格、商品画像を格納する商品ファイル１４Ａと、一取引の内容を格納するトランザクションファイル１４Ｂと、商品コードごとに商品の特徴量を格納する特徴量ファイル１４Ｃと、再生する音声の音声データを格納する音声ファイル１４Ｄと、を備える。
【００２３】
記憶部１４はさらに、商品販売データ登録処理プログラムを格納し、制御部１１はこの商品販売データ登録処理プログラムを読み出して順次実行する。
【００２４】
読取部１０５は、演算装置であるＣＰＵを含む読取部制御部１０５Ａと、メモリなどの記憶装置を含む読取部記憶部１０５Ｂと、読取部入出力部１０５Ｃと、通信を行う読取部通信部１０５Ｄと、撮像部１０５Ｅと、増幅器、スピーカを含み、音声を再生する音声再生部１０５Ｆと、を備える。
【００２５】
管理装置２は、店舗ごとに１台設置される。管理装置２は、商品に固有に割り当てられる商品コードごとに商品名、価格、商品画像を格納する商品マスタを備え、端末部１０の商品ファイル１４Ａに存在しない商品コードに係る単価、品名などの商品情報を端末部１０の要求に応じて端末部１０に送信する。
【００２６】
また、管理装置２は、単価の変更の指示を各登録処理装置１に送信することにより、商品の単価を一斉に変更することが可能である。管理装置２は、店舗ごとに１台設置されるものに限らず、複数の店舗の端末１０に接続可能なサーバであってもよい。
【００２７】
図３は、商品ファイル１４Ａのデータ構成を示す図である。図３に示すように、商品ファイル１４Ａは、商品に固有に割り当てられる「商品コード」と、この商品コードごとに商品情報として例えば、商品の名称である「商品名」と、商品の販売部門を示す「部門」と、商品の単価を示す「単価」と、商品の画像である「商品画像」と、を格納する。
【００２８】
各データの例は、商品コードが「１２３０４５６７」、商品名が「白菜」、部門が「０１」、単価が「２３０」、商品画像が「１２３０４５６７.ｊｐｇ」である。
【００２９】
図４は、トランザクションファイル１４Ｂのデータ構成を示す図である。図４に示すように、トランザクションファイル１４Ｂは、「商品コード」と、「商品名」と、「部門」と、「単価」と、顧客が購入した商品の数量を示す「数量」と、を格納する。トランザクションファイル１４Ｂはさらに、取扱日時、担当者コード、レジ番号などを格納することもできる。
【００３０】
図５は、特徴量ファイル１４Ｃのデータ構成を示す図である。図５に示すように、特徴量ファイル１４Ｃは、「商品コード」と、商品コードごとの「特徴量」と、を格納する。
【００３１】
特徴量の例は、商品の色合い、形状、模様、凹凸などが挙げられるが適宜削除追加できる。特徴量ファイル１４Ｃは、特徴量を数値にて格納する。
【００３２】
端末部１０は撮像部１０５Ｅによって撮像された商品の画像から特徴量を抽出する。そして、端末部１０は抽出された特徴量と特徴量ファイル１４Ｃに格納されている特徴量との類似度を計算する。類似度の計算方法には特に限定はなく、例えばユークリッド距離を用いることができるし、χ２検定などの統計処理によることもできる。
【００３３】
さらに、端末部１０はいわゆる一般物体認識によって行うこともできる。一般物体認識については、例えば以下の公知の技術がある。
【００３４】
（１）柳井  啓司、“一般物体認識の現状と今後”、情報処理学会論文誌、Ｖｏｌ．４８、Ｎｏ．ＳＩＧ１６（URL: https://mm.cs.uec.ac.jp/IPSJ-TCVIM-Yanai.pdf (平成２５年１２月２０日検索)）
（２）Ｊａｍｉｅ  Ｓｈｏｔｔｏｎ  ｅｔ  ｌａ．，  “Ｓｅｍａｎｔｉｃ  Ｔｅｘｔｏｎ  Ｆｏｒｅｓｔｓ  ｆｏｒ  Ｉｍａｇｅ  Ｃａｔｅｇｏｒｉｚａｔｉｏｎ  ａｎｄ  Ｓｅｇｍｅｎｔａｔｉｏｎ”（URL http://citeseerx.ist.psu.edu/viewdoc/download?doi=10.1.1.145.3036&rep=rep1&type=pdf）(平成２５年１２月２０日検索)）
図６は、登録処理装置１の制御部１１による商品確定動作を示すフローチャートである。図６に示すように、ステップ６０１において、登録処理装置１はタイマとカウンタをリセットする。
【００３５】
ステップ６０２において、登録処理装置１はオペレータによって撮像部１０５Ｅにかざされた商品を撮像する。
【００３６】
ステップ６０３において、登録処理装置１は撮像された商品の画像から特徴量を抽出する。
【００３７】
ステップ６０４において、登録処理装置１は特徴量ファイル１４Ｃから順次格納されている特徴量を読み出して類似度を算出し、算出された類似度を記憶部１４に一時的に格納する。
【００３８】
ステップ６０５において、登録処理装置１は類似度が閾値以上の商品の候補があるかを判定する。登録処理装置１は、類似度が閾値以上である商品がないと判定した場合（ステップ６０５のＮ）、ステップ６０１に戻り、類似度が閾値以上である商品があると判定した場合（ステップ６０５のＹ）、ステップ６０６に進む。以下、この閾値を候補閾値という。
【００３９】
ステップ６０６において、登録処理装置１は商品をオペレータの特別な操作なしによって自動確定する閾値である確定閾値を上回る類似度の商品があるかを判定する。登録処理装置１は、類似度が確定閾値を超える商品があると判定した場合（ステップ６０６のＹ）、ステップ６０７に進み、類似度が確定閾値を超える商品がないと判定した場合（ステップ６０６のＮ）、ステップ６０８に進む。
【００４０】
ステップ６０７において、登録処理装置１は商品を確定して登録し、商品確定動作を終了する。
【００４１】
ステップ６０８において、登録処理装置１は、類似度が候補閾値以上の商品を登録すべき商品の候補として読取部入出力部１０５Ｃに表示する。
【００４２】
ステップ６０９において、登録処理装置１はタイマをスタートさせて時間計測を開始する。
【００４３】
ステップ６１０において、登録処理装置１は、オペレータによって商品が選択入力されたことにより商品の選択が完了したかを判定する。登録処理装置１は、商品の選択が完了したと判定した場合（ステップ６１０のＹ）、ステップ６０７において商品を確定して登録することにより処理を終了し、商品の選択が完了していないと判定した場合（ステップ６１０のＮ）、ステップ６１１に進む。
【００４４】
ステップ６１１において、登録処理装置１はタイマを参照して閾値時間を経過したかを判定する。登録処理装置１は、閾値時間を経過したと判定した場合（ステップ６１１のＹ）、ステップ６１２に進み、経過していないと判定した場合（ステップ６１１のＮ）、ステップ６１０に戻る。
【００４５】
ステップ６１２において、登録処理装置１は商品の選択入力を促す警告音声を音声再生部１０５Ｆにより再生する。
【００４６】
従って、オペレータはタイムリーに商品を候補から選択することが可能となる。
【００４７】
ステップ６１３において、登録処理装置１はカウンタに１をインクリメントする。
【００４８】
ステップ６１４において、登録処理装置１はカウンタが閾値を超えたかを判定する。この閾値を以下再読込閾値という。登録処理装置１は、カウンタが再読込閾値を超えたと判定した場合（ステップ６１４のＹ）、ステップ６１５に進み、カウンタが再読込閾値を超えていないと判定した場合（ステップ６１４のＮ）、ステップ６０１に戻る。
【００４９】
ステップ６１５において、登録処理装置１は手動入力を促す音声を音声再生部１０５Ｆから再生し、商品確定動作を終了する。
【００５０】
図７は、図６のステップ６０８において表示される候補表示画面７０１の例を示す図である。図７に示すように、候補表示画面７０１は、撮像部１０５Ｅが撮像した商品の画像を表示する認識中画像表示部７０２と、手動登録を指示する手動登録ボタン７０３と、登録すべき商品の候補、すなわち類似度が候補閾値を超える商品の画像と商品名を表示する候補表示部７０４と、を備える。図７の例では、候補表示部７０４に商品の画像と商品名を表示しているが、候補表示部７０４に商品名のみを表示するようにしてもよい。
【００５１】
オペレータは、候補表示部７０４において、該当する商品の部分をタッチすることにより登録する商品を選択入力する。
【００５２】
なお、候補表示画面７０１は入出力部１２にも表示させることができる。
【００５３】
図８は、図６のステップ６１２において表示される警告メッセージの例を示す図である。図８に示すように、登録処理装置１は候補表示画面７０１に、商品の選択入力を促す警告メッセージ８０１を表示する。
【００５４】
警告メッセージ８０１は、手動登録を指示する手動登録ボタン８０２と、商品の再読込を指示する再スキャンボタン８０３と、商品の選択入力を行う旨を指示するＯＫボタン８０４と、を備える。
【００５５】
登録処理装置１は、警告メッセージ８０１を読取部入出力部１０５Ｃに表示させるとともに、音声再生部１０５Ｆによって音声ファイル１４Ｄから読み出した選択入力を促す警告音声８０５を再生する。
【００５６】
警告音声は例えば、「商品候補から商品を選んでください」とすることができる。
【００５７】
なお、警告メッセージ８０１は入出力部１２にも表示させることができる。
【００５８】
図９は、図６のステップ６１５において表示される手動入力メッセージの例を示す図である。図９に示すように、手動入力メッセージ９０１は、手動入力を指示する手動登録ボタン９０２と、商品の再読込を指示する再スキャンボタン９０３と、を備える。
【００５９】
登録処理装置１は、手動入力メッセージ９０１を読取部入出力部１０５Ｃに表示させるとともに、音声再生部１０５Ｆによって音声ファイル１４Ｄから読み出した手動入力を促す手動入力音声９０４を再生する。
【００６０】
なお、手動入力メッセージ９０１は入出力部１２にも表示させることができる。
【００６１】
図１０は、セルフ型登録処理装置５の外観斜視図である。図１０に示すセルフ型登録処理装置５によっても、上述の実施形態を実施することができる。
【００６２】
図１０に示すように、セルフ型登録処理装置５は、情報を入出力するセルフ入出力部５０２と、レシートを発行するプリンタ５０４と、商品を読み込む読取部５０５と、現金を入出金する入出金装置５０７と、登録前の商品の重量を計量する第１の計量部５０６と、登録後の商品の重量を計量する第２の計量部５０６Ｂと、を備える。以下、第１の計量部５０６Ａ及び第２の計量部５０６Ｂを計量部５０６という。
【００６３】
顧客は購入する商品を第１の計量部５０６Ａに載置する。セルフ型登録処理装置５は第１の計量部５０６Ａによって登録前の商品の総重量を計量する。
【００６４】
顧客は商品を読取部５０５によって読取らせ、セルフ型登録処理装置５に商品を登録させる。顧客は登録が終了した商品を第２の計量部５０６Ｂに載置する。
【００６５】
セルフ型登録処理装置５は、第１の計量部５０６Ａによって計量した重量と、第２の計量部５０６Ｂによって計量した重量が等しい場合、全商品の登録が終了したと判定する。
【００６６】
セルフ型登録処理装置５はセルフ入出力部５０２の小計ボタンが押下されたと判定した場合、小計を計算する。
【００６７】
顧客は入出金装置５０７に現金を投入し、セルフ入出力部５０２の現計ボタンを押下することにより、つり銭の計算と出金が行われ、一取引が完了する。
【００６８】
図１１は、セルフ型登録処理装置５の構成を示すブロック図である。図１１に示すように、セルフ型登録処理装置５は、端末部１０と、読取部５０５と、計量部５０６と、入出金装置５０７と、を備える。
【００６９】
端末部１０は、入出金装置１０４と、読取部１０５と、ストアコントローラである管理装置２と、に接続する。
【００７０】
端末部１０は、演算装置であるＣＰＵを含む制御部１１と、セルフ入出力部５０２と、通信を行う通信部１３と、レシートを発行するプリンタ５０４と、メモリ、ハードディスクドライブなどの記憶装置を含む記憶部１４と、を備える。
【００７１】
記憶部１４は、商品に固有に割り当てられる商品コードごとに商品名、価格、商品画像を格納する商品ファイル１４Ａと、一取引の内容を格納するトランザクションファイル１４Ｂと、商品コードごとに商品の特徴量を格納する特徴量ファイル１４Ｃと、再生する音声の音声データを格納する音声ファイル１４Ｄと、を備える。
【００７２】
記憶部１４はさらに、商品販売データ登録処理プログラムを格納し、制御部１１はこの商品販売データ登録処理プログラムを読み出して順次実行する。
【００７３】
読取部５０５は、演算装置であるＣＰＵを含む読取部制御部１０５Ａと、メモリなどの記憶装置を含む読取部記憶部１０５Ｂと、通信を行う読取部通信部１０５Ｄと、撮像部１０５Ｅと、増幅器、スピーカを含み、音声を再生する音声再生部１０５Ｆと、を備える。
【００７４】
管理装置２は、店舗ごとに１台設置される。管理装置２は、商品に固有に割り当てられる商品コードごとに商品名、価格、商品画像を格納する商品マスタを備え、端末部１０の商品ファイル１４Ａに存在しない商品コードに係る単価、品名などの商品情報を端末部１０の要求に応じて端末部１０に送信する。
【００７５】
また、管理装置２は、単価の変更の指示を各登録処理装置１に送信することにより、商品の単価を一斉に変更することが可能である。
【００７６】
セルフ型登録処理装置５の商品確定動作は、図６に示す登録処理装置１の商品確定動作と同様である。
【００７７】
以上述べたように、本実施形態の登録処理装置１は、情報を入出力する入出力部１２乃至読取部入出力部１０５Ｃと、商品に固有に割り当てられる商品コードごとに商品名、単価、及び商品の画像を格納する商品ファイル１４Ａと、商品コードごとに商品の特徴量を格納する特徴量ファイル１４Ｃと、音声データを格納する音声ファイル１４Ｄと、商品を撮像する撮像部１０５Ｅと、音声を再生する音声再生部１０５Ｆと、撮像部１０５Ｅによって撮像した商品の画像から抽出した特徴量と特徴量ファイル１４Ｃの類似度を算出し、この類似度が登録する商品を自動確定する確定閾値を上回る確定商品がなく、この類似度が登録する商品の候補を判定する候補閾値を超える候補商品がある場合に候補商品を入出力部に表示し、候補商品を入出力部に表示してから閾値時間経過したと判定した場合に商品の選択入力を促す音声を音声ファイル１４Ｄから読み出して音声再生部１０５Ｆによって再生させる制御部１１と、を備える。
【００７８】
従って、オペレータがいつまで商品を読取部にかざせばよいかが容易に認識できるという効果がある。
【００７９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１：登録処理装置
２：管理装置
１４Ａ：商品マスタ
１４Ｂ：トランザクションファイル
１４Ｃ：特徴量ファイル
１０５；読取部
【図１】
2015138374.tif 000003
【図２】
2015138374.tif 000004
【図３】
2015138374.tif 000005
【図４】
2015138374.tif 000006
【図５】
2015138374.tif 000007
【図６】
2015138374.tif 000008
【図１０】
2015138374.tif 000009
【図１１】
2015138374.tif 000010
【図７】
2015138374.tif 000011
【図８】
2015138374.tif 000012
【図９】
2015138374.tif 000013